(57)【要約】  【課題】商品広告装置において、コンパクトに製作し、その設置に融通性を持たせることで商品陳列方法に幅を持たせ、かつ低コストに製作する。  【解決手段】商品広告装置（１）は、商品広告情報を記録した記録媒体（２）と、映像表示モニター（１２）や音声出力端子（１３）などを有し記録された商品広告情報の映像や音声を再生する再生装置（３）と、これに接続されたスピーカー装置（４）と、再生装置（３）及びスピーカー装置（４）を収納する収納ケース（５）とを備え、収納ケース（５）の正面には映像表示モニター用開口部（４１）及び音声出力用開口部（４２）が設けられ、収納ケースの上面には操作部用開口部（４３）が設けられ、収納ケース（５）の背面にはコの字状ホルダー（５２）などの設置用手段が設けられている。【選択図】  図２
2005189625.tif 000002
【特許請求の範囲】
【請求項１】
商品広告情報としての映像及び音声の少なくとも一方を記録した記録媒体と、この記録媒体を着脱可能に収容するとともに、記録された商品広告情報を再生する再生部、再生された映像を表示する映像表示モニター、再生された音声を出力する音声出力端子及びこれらを操作する操作部を有する再生装置と、上記音声出力端子に接続されたスピーカー装置と、上記再生装置及びスピーカー装置を収納する収納ケースとを備え、この収納ケースの正面には映像表示モニター用開口部及び音声出力用開口部が設けられ、収納ケースの上面又は側面には操作部用開口部が設けられ、収納ケースの背面には設置用手段が設けられていることを特徴とした商品広告装置。
【請求項２】
スピーカー装置が、再生装置に内臓されている請求項１に記載の商品広告装置。
【請求項３】
記録媒体が、カードタイプ又はスティックタイプのいずれかであり、記録する商品広告情報が書き換え可能である請求項１又は２に記載の商品広告装置。
【請求項４】
収納ケース正面に設けられた映像表示モニター用開口部及び音声出力用開口部のそれぞれに対応した開口部を有する商品広告シートを、収納ケースに着脱可能に取り付けた請求項１から３のいずれかに記載の商品広告装置。
【請求項５】
収納ケース背面の設置用手段が、上部支持部材、下部支持部材及び開口部の少なくとも１つから構成されるものであり、これら設置用手段を単独又は２つ以上組み合わせることにより、設置方法として、載置、吊り下げ、挟み込み、引っ掛けのいずれかを選択可能とした請求項１から４のいずれかに記載の商品広告装置。
【発明の詳細な説明】
【技術分野】
【０００１】
本発明は、店頭に設置され、商品に関する映像や音声等の情報を利用して、商品の説明や広告を実施する商品広告装置に関するものである。
【背景技術】
【０００２】
店頭においては、商品の横にＰＯＰ（Point of Purchase Advertising：購買時点広告）と呼ばれる広告が設置されることが多い。従来のＰＯＰは主にポスターのような紙製のものが多かったが、ＶＴＲ等を利用して商品の広告映像を表示出力する、いわゆる電子ＰＯＰ装置が用いられるようになっている。
【０００３】
更に最近では商品に関する広告が記録されたＤＶＤを利用したシステムが提案されている（例えば、特許文献１参照）。ＤＶＤは画質・音質及び耐久性についても従来のビデオテープよりも優れており、急速に普及している。
【０００４】
【特許文献１】特開２００２−２６８５９９号（請求項１，図１など）
【発明の開示】
【発明が解決しようとする課題】
【０００５】
しかしながら、上記特許文献１などに示されるＤＶＤプレーヤーは場所を取るため、液晶モニター等の表示機器やスピーカーと組合わせると多くのスペースを占有することになる。すると陳列している商品が隠れてしまったり、陳列スペースが減少することになり、店頭の陳列状況としては望ましいことではない。また広告装置のスペ―スが大きくなるため、広告装置を陳列棚と組み合わせて製作した場合であっても、店頭の売り場面積の関係でそれを設置できないという事態も起こり得る。更にはＤＶＤプレーヤー自体が高価であるため、導入する上でコストがかかることになる。
【０００６】
そこで本発明では上述の課題を鑑みて、商品広告装置をコンパクトに製作し、その設置に融通性を持たせることで商品陳列方法に幅を持たせ、なおかつ低コストで製作可能な商品広告装置を提供することを目的とする。
【課題を解決するための手段】
【０００７】
上述の目的を達成するため、本発明による商品広告装置は、商品広告情報としての映像及び音声の少なくとも一方を記録した記録媒体と、この記録媒体を着脱可能に収容するとともに、記録された商品広告情報を再生する再生部、再生された映像を表示する映像表示モニター、再生された音声を出力する音声出力端子及びこれらを操作する操作部を有する再生装置と、上記音声出力端子に接続されたスピーカー装置と、上記再生装置及びスピーカー装置を収納する収納ケースとを備え、この収納ケースの正面には映像表示モニター用開口部及び音声出力用開口部が設けられ、収納ケースの上面又は側面には操作部用開口部が設けられ、収納ケースの背面には設置用手段が設けられていることを特徴としている。
【０００８】
また、構成されるスピーカー装置は、再生装置に内臓されていることが好ましい。
【０００９】
さらに、再生装置に着脱可能な記録媒体は、カードタイプやスティックタイプのもので、記録する商品広告情報が書き換え可能であると好ましい。
【００１０】
そして、収納ケースの正面には、着脱可能な商品広告シートを設けることが好ましく、この商品広告シートは、収納ケース正面に設けられた映像表示モニター用開口部及び音声
出力用開口部のそれぞれに対応した開口部を有している。
【００１１】
なお、収納ケース背面の設置用手段は、上部支持部材、下部支持部材及び開口部の少なくとも１つから構成されることが好まく、これら設置用手段を単独又は２つ以上適宜組み合わせることがより好ましい。
【発明の効果】
【００１２】
以上のように、本発明によれば、再生装置及びスピーカー装置を収納ケースに一体的に収納して装置全体を小さく製作することができ、その設置用手段に融通性を持たせることで商品陳列方法に幅を持たせ、なおかつ再生装置なども低コストに導入可能な商品広告装置を提供することができる。そして記録媒体を着脱可能としているため、商品広告情報の変更も容易にできる。
【００１３】
また、スピーカー装置内臓型の再生装置を使用すると、商品広告装置のサイズをさらに小さくすることが可能である。
【００１４】
さらに、再生装置に着脱可能な記録媒体は、カードタイプやスティックタイプのものなど、一般的にコンパクトなものを使用することで、全体の構成をより小さく、かつ低コストにすることが可能である。そして記録する商品広告情報が書き換え可能であると、この記録媒体に記録された商品広告情報の変更も容易にできる。当然異なる広告情報の記録された複数の記録媒体を用意し、記録媒体そのものを交換することで様々な商品の広告装置として対応させることができる。
【００１５】
そして、収納ケースに着脱可能な商品広告シートは、これを各種製作することにより様々な商品の広告装置として対応させることができる。もちろん、映像表示モニター用開口部及び音声出力用開口部のそれぞれに対応した開口部を有しているため、商品広告シートを交換しても、映像や音声の再生に支障はない。
【００１６】
収納ケース背面設置用手段として、上部支持部材、下部支持部材及び開口部のの少なくとも１つを設け、単独又は２つ以上を組み合わせることで、載置、吊り下げ、挟み込み固定、引っ掛けのいずれかの設置方法を選択することが可能となり、商品の陳列方法や空きスペース状態により様々な設置方法が提供できる。
【発明を実施するための最良の形態】
【００１７】
以下、本発明の実施の形態について、その一例を図面に従って詳細に説明する。なお本発明の実施の形態は、発明の本質を逸脱しない範囲であればよく、以下の実施例に限定されるものではない。
【実施例】
【００１８】
図１は本実施例の商品広告装置の外観を示す斜視図である。この商品広告装置の構成図を図２に示す。図３は本実施例の商品広告装置の背面図，図４は側面図である。図５は収納ケースの内側を示す斜視図である。図６は収納ケース正面の商品広告シートを貼り変えた例の斜視図である。図７から図１２は本実施例の商品広告装置の様々な設置例を示す。本実施例の商品広告装置では、記録媒体中に記録された情報の選択変更や記録媒体そのものを交換したり、更には商品広告シートを貼り変える事により様々な商品の広告・陳列に活用する事ができる。なお、図１３は本実施例を変形した他の例を示した斜視図である。
【００１９】
本実施例の商品広告装置（１）は、図２に示すように、記録媒体（２）、再生装置（３）、スピーカー装置（４）、収納ケース（５）、商品広告シート（６）などから構成され、化粧水の販売促進のために店頭に設置されるものである。
【００２０】
記録媒体（２）は、書き換え可能なカードタイプのメモリであり、化粧水の商品広告情報である映像データ及び音声データの両方が記録されている。
【００２１】
再生装置（３）は、薄型の略直方体形状の金属製であり、その内部に再生部（１１）を有している。さらに再生装置（３）の外部には、正面に液晶の映像表示モニター（１２）を有し、上面に音声出力端子（１３）及び操作部（１４）を有し、側面に記録媒体（２）を差し込む記録媒体挿入口（１５）を有している。この記録媒体挿入口（１５）は、再生部（１１）に記録媒体（２）を収容するためのものである。
【００２２】
スピーカー装置（４）は、薄型の略直方体形状の合成樹脂製であり、正面に音声出力部（２１）が設けられており、上面に音声入力ケーブル（２２）が設けられている。このスピーカー装置（４）は、再生装置（３）の記録媒体挿入口（１５）が設けられる面の他側に隣接し、音声入力ケーブル（２２）の先端は、再生装置（３）の音声出力端子（１３）に接続されている。
【００２３】
収納ケース（５）は、図２から図５に示すように、略直方体形状の合成樹脂製の収納ケース本体部（５ａ）と、略長方形板状の金属製の収納ケース蓋部（５ｂ）とで構成される。この収納ケース（５）に、記録媒体（２）を収容した再生装置（３）と、スピーカー装置（４）とを並べて収納する。
【００２４】
収納ケース本体部（５ａ）は、正面板（３１）と、その左右に隣接する右側面板（３２）及び左側面板（３３）、正面板（３１）の上下に隣接する上面板（３４）及び下面板（３５）の５枚の板を用いて、正面板（３１）と相対する裏面側を欠いた箱形状に接着したものである。この裏面側において、右側面板（３２）に隣接する位置に、右側面板（３２）の３／４程度の高さの蓋部取付板（３６）が、収納ケース蓋部（５ｂ）の板厚の分奥まるように、右側面板（３２）及び下面板（３５）に接着されている。また左側面板（３３）に隣接する位置に、蓋部押板（３７）が、面一となるように、左側面板（３３）、上面板（３４）及び下面板（３５）に接着されている。また収納ケース本体部（５ａ）内側には、正面板（３１）に平行かつ再生装置（３）の厚みより大きい距離で離れた位置であって、右側面板（３２）に平行かつ再生装置（３）の幅より大きい距離で離れた位置に、Ｌ字状に固定枠（３８）が、下面板（３５）に接着されている。
【００２５】
上記収納ケース本体部（５ａ）の構成において、正面板（３１）は、向かって右側に映像表示モニター用開口部（４１）が設けられ、左側に音声出力用開口部（４２）が設けられている。映像表示モニター用開口部（４１）は、略四角形の穴であって、再生装置（３）を収納ケース（５）に収容したときに、映像表示モニター（１２）の画面に合致する位置と大きさになっている。同様に音声出力用開口部（４２）は、複数の丸穴が規則正しく配列されており、スピーカ装置（４）を収納ケース（５）に収容したときに、音声出力部（２１）の音声出力方向に合致する位置になっている。また、上面板（３４）は、正面から見て向かって右側に、操作部用開口部（４３）が設けられている。この操作部用開口部（４３）は、略長方形状の穴であって、再生装置（３）を収納ケース（５）に収容したときに、操作部（１４）の操作ボタンやボリュームなどを操作可能な位置と大きさになっている。さらに、蓋部取付板（３６）は、収納ケース本体部（５ａ）の裏面側高さ方向中間位置に、雌ねじ（４４）が設けられている。
【００２６】
収納ケース蓋部（５ｂ）は、図２から図４に示すように、収納ケース本体（５ａ）の裏面（背面）側開口部を閉蓋する蓋本体（５１）と、設置用手段である上部支持部材としてのコの字状ホルダー（５２）と、同じく下部支持部材としてのＬ字状ホルダー（５３）とから構成されている。
【００２７】
上記収納ケース蓋部（５ｂ）の構成において、蓋本体（５１）は、長手方向の一方側がクランク状に折り曲げられ、差し込み片（６１）を形成し、他方側の高さ方向中間位置に、取り付け穴（６２）が開けられ、長手方向中央下方部分に２つの雌ねじ（６３）が設けられている。さらに、収納ケース（５）の内外へ配線できるように、差し込み片（６１）の横側下方に切り欠き（６４）が設けられている。コの字状ホルダー（５２）は、金属製板状体を折り曲げて、広がりを持った開口部を下向きに配置した“コの字”状に形成されたもので、蓋本体（５１）の上辺中央部分に溶接されている。このコの字状ホルダー（５２）の下垂片側には、高さ方向中間位置に３つの設置用開口部（６５）が開けられている。Ｌ字状ホルダー（５３）は、金属製板状体を折り曲げて、“Ｌ字”状に形成されたもので、片方の面には２つの長穴（６６）を設け、この長穴（６６）を介して、蓋本体の雌ねじ（６３）にローレットネジ（６７）を用いて止められている。このＬ字状ホルダー（５３）のもう片方の面には２つの穴があけられ、この２つの穴の上面側に六角ナット（６８）を溶着し、この六角ナット（６８）にはローレットネジ（６９）がそれぞれ下面側より取り付けられている。そして、収納ケース蓋部（５ｂ）は、取り付け穴（６２）を介して、収納ケース本体部（５ａ）の
雌ねじ（４４）にローレットネジ（７０）を用いて止められている。このとき、差し込み片（６１）の先端側は、蓋部押板（３７）の内側に差し込まれた状態になっている。
【００２８】
商品広告シート（６）は、収納ケース本体部（５ａ）の正面板（３１）とほぼ同じ形状の紙製板状体である。すなわち、向かって右側に映像表示モニター用開口部（４１）に合致する位置と大きさに四角状開口部（７１）が設けられ、左側に複数の丸穴が規則正しく配列された音声出力用開口部（４２）に合致する位置と大きさに複数丸穴開口部（７２）が設けられている。この商品広告シート（６）は、例えば化粧水の商品広告情報を表現したもの（商品広告シート（６ａ））や、シャンプー商品広告情報を表現したもの（商品広告シート（６ｂ））等を用意しておき、商品に応じて適宜選択し、正面板（３１）に両面テープ等で貼り付ければよい。なお、図１は化粧水の商品広告情報を表現したもの（商品広告シート（６ａ））を貼り付けた例であり、図６はシャンプー商品広告情報を表現したもの（商品広告シート（６ｂ））を貼り付けた例である。
【００２９】
上記の構成により、本実施例の商品広告装置（１）を使用する場合、まず記録媒体（２）に商品広告情報を記録し、これを再生装置（３）の記録媒体挿入口（１５）に収容する。つぎに、スピーカー装置（４）を収納ケース本体部（５ａ）の固定枠（３８）の横外側に収容し、次いで再生装置（３）を固定枠（３８）の内側に収容した後、音声入力ケーブル（２２）を音声出力端子（１３）に差し込む。この配置により、再生装置（３）及びスピーカー装置（４）の位置は一定になり、かつ簡単にずれることがない。そして、収納ケース蓋部（５ｂ）の差し込み片（６１）を収納ケース本体部（５ａ）の蓋部押板（３７）の裏側に差し込み、取り付け穴（６２）と雌ねじ（４４）の位置を合わせるように閉蓋し、ローレットネジ（７０）で固定する。最後に、記録媒体に記録した商品に該当する商品広告シートを収納ケース（５）の正面板（３１）に貼り付ける。このとき、映像表示モニター用開口部（４１）と四角状開口部（７１）がずれないようにすることが美観上好ましい。
【００３０】
上記手順で組み立てた商品広告装置（１）の設置例を以下説明する。まず図７に、商品広告装置（１）を引っ掛けて設置する例を示す。例えば化粧水などの商品（８０）を載置したＬ字状の陳列棚（８１）の上端に、コの字状ホルダー（５２）を引っ掛け、陳列棚の角部に蓋本体（５１）が当接する状態で安定させる。このとき、図４などに示すＬ字状ホルダー（５３）が設置の障害となる場合は、ローレットネジ（６７）を外して、Ｌ字状ホルダー（１５）を取り外せばよい。
【００３１】
次に図８に、商品広告装置（１）を陳列棚やテーブル等の平面に載置して設置する例を示す。収納ケース本体部（５ａ）の下面板（３５）で載置してもよいが、この場合、映像表示モニター（１２）が真横を向くため、Ｌ字状ホルダー（５３）を利用して設置の角度を調整できる。すなわち、Ｌ字状ホルダー（５３）を止めるローレットネジ（６７）を緩め、長穴（６６）の範囲でＬ字状ホルダー（５３）を上下調整することにより、図で示すように２点支持状態になり、商品広告装置（１）の角度を上に向けることができる。このとき、Ｌ字状ホルダー（５３）のもう片方の面に取り付けたローレットネジ（６９）は外しておく。
【００３２】
図９及び図１０に、商品広告装置（１）を吊り下げて設置する例を示す。図９はコの字状ホルダー（５２）に設けた設置用開口部（６５）の真ん中の穴に、陳列棚から伸びる棒状フック（８２）を通して吊り下げた例であり、図１０は、網棚（８４）に掛けられたＳ字状のフック（８３）を２つ使用し、設置用開口部（６５）の左右の２つの穴に通して吊り下げた例である。このとき、図ではＬ字状ホルダー（５３）を取り外しているが、取り付けたままで設置しても構わない。
【００３３】
図１１及び図１２に、商品広告装置（１）を板状の陳列棚やテーブル端などに挟み込んで設置する例を示す。ここではコの字状ホルダー（５２）の先端部と、Ｌ字状ホルダー（５３）のローレットネジ（６８）とにより陳列棚（８５）又は（８６）を挟み込み、蓋本体（５１）を棚に押し付けるようにして固定する（なお、蓋本体（５１）ではなく、ローレットネジ（６７）または（７０）が押し付けられる場合もある）。そして、挟み込みサイズによりローレットネジ（６９）の調整量で不足する場合には、Ｌ字状ホルダー（５３）の取り付け位置を調製することで対応が可能である。
【００３４】
図１３は、収納ケース蓋部（５ｂ）の変形例を示したもので、コの字状ホルダー（５２）やＬ字状ホルダー（５３）を設けずに、蓋本体（５１）に直接設置用開口部（９０）を設けたものである。この設置用開口部（９０）を用いて、上述したように、Ｓ字状フック（８３）等で吊り下げることが可能である。
【００３５】
上記の実施例に挙げた各部材の形状等はこれに限定するものではなく、適宜形状を変更して製作する事が可能である。
【００３６】
また上記実施例では蓋本体（５１）、コの字状ホルダー（５２）及びＬ字状ホルダー（５３）の取り付けにおいて、それぞれネジ止めや溶着としているが、この方法に限定するものではなく、差し込み式の構造を用いたり、一体ものの成形をしても良い。また使用するネジにはローレットネジに限らず、手による締め付けが可能なものであれば工具が不要なため好ましい。
【００３７】
上記実施例ではスピーカー装置（４）と再生装置（３）が個々に別れているが、スピーカーが再生装置に内臓されたにタイプも使用することができる。その場合であっても収納ケース（５）は、そのスピーカー内臓タイプの再生装置の外形仕様に合わせ製作され、さらに位置決めの固定枠（３８）も合わせればよい。
【００３８】
上記実施例での記録媒体（２）はカードタイプであるが、スティックタイプでも構わない。
【産業上の利用可能性】
【００３９】
本発明の商品広告装置は、商店などで販売するあらゆる商品において、省スペース及び省コストにて導入・利用する事ができる。
【図面の簡単な説明】
【００４０】
【図１】本発明の商品広告装置の一実施形態を示す斜視図である。
【図２】本発明の商品広告装置の一実施形態を示す構成図である。
【図３】本発明の商品広告装置の一実施形態を示す背面図である。
【図４】本発明の商品広告装置の一実施形態を示す側面図である。
【図５】収納ケース本体部の裏面側を示す斜視図である。
【図６】他の商品広告シートに張り替えた形態を示す斜視図である。
【図７】本発明の商品広告装置の設置方法の一つである引っ掛けの一例を示す側面図である。
【図８】本発明の商品広告装置の設置方法の一つである載置の一例を示す側面図である。
【図９】本発明の商品広告装置の設置方法の一つである吊り下げの一例を示す側面図である。
【図１０】本発明の商品広告装置の設置方法の一つである吊り下げの他の例を示す側面図である。
【図１１】本発明の商品広告装置の設置方法の一つである挟み込みの一例を示す側面図である。
【図１２】本発明の商品広告装置の設置方法の一つである挟み込みの他の例を示す側面図である。
【図１３】本発明の商品広告装置の変形例を示す斜視図である。
【符号の説明】
【００４１】
１  商品広告装置
２  記録媒体
３  再生装置
４  スピーカー装置
５  収納ケース
１１  再生部
１２  映像表示モニター
１３  音声出力端子
１４  操作部
１５  記録媒体挿入口
２２  音声入力ケーブル
４１  映像表示モニター用開口部
４２  音声出力用開口部
４３  操作部用開口部
５２  コの字状ホルダー
５３  Ｌ字状ホルダー
【図１】
2005189625.tif 000003
【図２】
2005189625.tif 000004
【図３】
2005189625.tif 000005
【図４】
2005189625.tif 000006
【図５】
2005189625.tif 000007
【図６】
2005189625.tif 000008
【図７】
2005189625.tif 000009
【図８】
2005189625.tif 000010
【図９】
2005189625.tif 000011
【図１０】
2005189625.tif 000012
【図１１】
2005189625.tif 000013
【図１２】
2005189625.tif 000014
【図１３】
2005189625.tif 000015